(57)【特許請求の範囲】
【請求項１】
ガスタービンプラントに、蒸気タービンプラントおよび排熱回収ボイラを組み合わせたコンバインドサイクル発電プラントにおいて、上記蒸気タービンプラントの高圧タービンからの高圧タービン排気のうち、一部を上記ガスタービンプラントのガスタービン翼部に供給する蒸気冷却供給系と、残りを上記排熱回収ボイラの再熱器に供給する低温再熱系と、上記ガスタービン翼部を冷却した蒸気を上記蒸気タービンプラントの中圧タービンの中間段落部に回収させる蒸気冷却回収系とを備える一方、上記低温再熱系に流量調整弁を設けるとともに、上記高圧タービンから上記ガスタービン翼部に供給する上記高圧タービン排気の流量を検出し、その検出信号に基づいて弁開閉信号を演算し、その演算信号を上記流量調整弁に与える制御演算部を設けたことを特徴とするコンバインドサイクル発電プラント。
【請求項２】
蒸気冷却回収系に、中圧タービンの中間段落部における加減弁の上流側から分岐され、蒸気タービンプラントの復水器に接続するタービンバイパス系を備えたことを特徴とする請求項１記載のコンバインドサイクル発電プラント。
【請求項３】
ガスタービンプラントに、蒸気タービンプラントおよび排熱回収ボイラを組み合わせたコンバインドサイクル発電プラントにおいて、上記蒸気タービンプラントの高圧タービンからの高圧タービン排気を上記ガスタービンプラントのガスタービン翼部に供給する蒸気冷却供給系と、上記ガスタービン翼部を冷却した蒸気を上記排熱回収ボイラの再熱器に設けた低温再熱系に回収させる蒸気冷却回収系と、上記蒸気冷却供給系と上記蒸気冷却回収系とを互いに接続するガスタービン翼部冷却バイパス系とを備えたことを特徴とするコンバインドサイクル発電プラント。
【請求項４】
ガスタービン翼部冷却バイパス系に、流量調整弁を設けるとともに、高圧タービンからガスタービン翼部に供給する高圧タービン排気の流量を検出し、その検出信号に基づいて弁開閉信号を演算し、その演算信号を上記流量調整弁に与える制御演算部を設けたことを特徴とする請求項３に記載のコンバインドサイクル発電プラント。
【請求項５】
低温再熱系に、減温器を備えたことを特徴とする請求項３に記載のコンバインドサイクル発電プラント。
【発明の詳細な説明】
【０００１】
【発明の属する技術分野】
本発明は、蒸気タービンプラントで膨張仕事を終えた蒸気を、ガスタービンプラントのガスタービン翼に冷却用として供給するコンバインドサイクル発電プラントに関する。
【０００２】
【従来の技術】
最近の火力発電プラントでは、プラント熱効率の高いコンバインドサイクル発電プラントが主流を占めつつある。このコンバインドサイクル発電プラントは、ガスタービンプラントに、排熱回収ボイラおよび蒸気タービンプラントを組み合わせたもので、ガスタービンプラントから出た排熱（排ガス）を利用して排熱回収ボイラで蒸気を発生させ、その蒸気を蒸気タービンプラントに供給することにより、ガスタービンプラント単体あるいは蒸気タービンプラント単体に較べて数％から数十％のプラント熱効率を高くしている。
【０００３】
しかし、最近のコンバインドサイクル発電プラントの動向として、プラント熱効率をより一層向上させるために、ガスタービンプラントのガスタービン入口温度をひところの１３００℃から１５００℃に増加させる開発が行われている。ガスタービン入口温度を１５００℃に増加させると、ガスタービン翼は、その許容強度が大幅に超えるので、排熱回収ボイラから発生した蒸気を冷却用として利用する開発が行われ、その構成として図５に示すものがある。
【０００４】
コンバインドサイクル発電プラントは、ガスタービンプラント１に、排熱回収ボイラ２および蒸気タービンプラント３を組み合わせて構成される。
【０００５】
ガスタービンプラント１は、空気圧縮機５、ガスタービン燃焼器６、ガスタービン７を備え、空気圧縮機５で吸い込んだ空気（大気）を圧縮して高圧空気にし、その高圧空気を燃料とともにガスタービン燃焼器６に供給し、ここで燃焼ガスを生成してガスタービン７に供給し、ガスタービン７で膨張仕事をする際に発生する回転トルクにより例えば被駆動機としての発電機４を駆動するようになっている。
【０００６】
また、排熱回収ボイラ２は、ガスタービン７から排出された排熱ＥＸＧの流れに沿って順に、高圧過熱器８、再熱器９、高圧ドラム１０を備えた高圧蒸発器１１、中圧過熱器１２、低圧過熱器１３、中圧ドラム１４を備え中圧蒸発器１５、低圧ドラム１６を備えた低圧蒸発器１７等を収容し、各熱交換器で発生した蒸気を蒸気タービンプラント３に供給するようになっている。
【０００７】
また、蒸気タービンプラント３は、高圧タービン１８、中圧タービン１９、低圧タービン２０、復水器２１を備え、排熱回収ボイラ２の高圧過熱器８から主蒸気系２２を介して高圧タービン１８に供給された蒸気に膨張仕事をさせ、膨張仕事を終えた高圧タービン排気を低温再熱系２３を介して再熱器９に供給し、ここで再び再熱させ、再熱蒸気として再熱系２４を介して中圧タービン１９に供給するようになっている。
【０００８】
中圧タービン１９は、再熱蒸気に膨張をさせ、膨張仕事を終えた中圧タービン排気を排熱回収ボイラ２の低圧過熱器１３から低圧蒸気系２５を介して供給された低圧蒸気に合流させ、その合流蒸気を低圧タービン２０で膨張仕事をさせた後、復水器２１で凝縮させ、復水・給水として排熱回収ボイラ２の節炭器（図示せず）に還流させるようになっている。
【０００９】
一方、ガスタービンプラント１のガスタービン７は、ガスタービン翼部２６に、蒸気タービンプラント３の高圧タービン１８からの高圧タービン排気と排熱回収ボイラ２の中圧過熱器１２からの中圧蒸気とを合流させ、その合流蒸気を翼冷却用として供給する蒸気冷却供給系２７と、ガスタービン翼部２６の冷却後の蒸気を中圧タービン１９に回収させる蒸気冷却回収系２８とを設け、燃焼ガスの高温化に対応させてガスタービン翼部２６の強度維持を図るとともに、ガスタービン翼部２６の冷却後の蒸気の再活用を図り、プラント熱効率のより一層の向上を図っていた。
【００１０】
【発明が解決しようとする課題】
図５で示した従来のコンバインドサイクル発電プラントには、いくつかの問題点があり、その一つに設計値とおりのプラント熱効率を維持することができない問題点があった。すなわち、中圧タービン１９の再熱系２４は、高圧タービン１８からの高圧タービン排気を分流させ、その一部を低温再熱系２３、再熱器９を介して再熱蒸気にするとともに、その残りを蒸気冷却供給系２７、ガスタービン翼部２６、蒸気冷却回収系２８を介して回収蒸気とし、この回収蒸気に上述の再熱蒸気を合流させている。このため、回収蒸気は圧力が低くなるのに対し、再熱蒸気は圧力が高く、圧力バランス上、再熱蒸気の圧力を当初から低くしなければならず、この低くした圧力分だけプラント熱効率が下る不具合・不都合があった。
【００１１】
また、再熱蒸気に回収蒸気を合流させる際、回収蒸気の温度が再熱蒸気の温度よりも低いと、中圧タービン１９は、設計値とおりの再熱蒸気の温度が得られず、出力の低下と相まってプラント熱効率の低下の要因にもなっていた。
【００１２】
本発明は、このような事情に基づいてなされたもので、再熱蒸気に回収蒸気を合流させる際、圧力差または温度差を巧みに調整してプラント熱効率の向上を図ったコンバインドサイクル発電プラントを提供することを目的とする。
【００１３】
【課題を解決するための手段】
本発明に係るコンバインドサイクル発電プラントは、上記目的を達成するために、請求項１に記載したようにガスタービンプラントに、蒸気タービンプラントおよび排熱回収ボイラを組み合わせたコンバインドサイクル発電プラントにおいて、上記蒸気タービンプラントの高圧タービンからの高圧タービン排気のうち、一部を上記ガスタービンプラントのガスタービン翼部に供給する蒸気冷却供給系と、残りを上記排熱回収ボイラの再熱器に供給する低温再熱系と、上記ガスタービン翼部を冷却した蒸気を上記蒸気タービンプラントの中圧タービンの中間段落部に回収させる蒸気冷却回収系とを備える一方、上記低温再熱系に流量調整弁を設けるとともに、上記高圧タービンから上記ガスタービン翼部に供給する上記高圧タービン排気の流量を検出し、その検出信号に基づいて弁開閉信号を演算し、その演算信号を上記流量調整弁に与える制御演算部を設けた備えたものである。
【００１５】
また、本発明に係るコンバインドサイクル発電プラントは、上記目的を達成するために、請求項２に記載したように、蒸気冷却回収系に、中圧タービンの中間段落部における加減弁の上流側から分岐され、蒸気タービンプラントの復水器に接続するタービンバイパス系を備えたものである。
【００２０】
また、本発明に係るコンバインドサイクル発電プラントは、上記目的を達成するために、請求項３に記載したようにガスタービンプラントに、蒸気タービンプラントおよび排熱回収ボイラを組み合わせたコンバインドサイクル発電プラントにおいて、上記蒸気タービンプラントの高圧タービンからの高圧タービン排気を上記ガスタービンプラントのガスタービン翼部に供給する蒸気冷却供給系と、上記ガスタービン翼部を冷却した蒸気を上記排熱回収ボイラの再熱器に設けた低温再熱系に回収させる蒸気冷却回収系と、上記蒸気冷却供給系と上記蒸気冷却回収系とを互いに接続するガスタービン翼部冷却バイパス系とを備えたものである。
【００２１】
また、本発明に係るコンバインドサイクル発電プラントは、上記目的を達成するために、請求項４に記載したようにガスタービン翼部冷却バイパス系に流量調整弁を設けるとともに、高圧タービンからガスタービン翼部に供給する高圧タービン排気の流量を検出し、その検出信号に基づいて弁開閉信号を演算し、その演算信号を上記流量調整弁に与える制御演算部を設けたものである。
【００２２】
また、本発明に係るコンバインドサイクル発電プラントは、上記目的を達成するために、請求項５に記載したように低温再熱系に、減温器を備えたものである。
【００２３】
【発明の実施の形態】
以下、本発明に係るコンバインドサイクル発電プラントの実施形態を図面および図面に付した符号を引用して説明する。
【００２４】
図１は、本発明に係るコンバインドサイクル発電プラントの第１実施形態を示す概略系統図である。
【００２５】
本実施形態に係るコンバインドサイクル発電プラントは、ガスタービンプラント３０にタービン軸３１を介して軸直結させた蒸気タービンプラント３２と、別置き配置の排熱回収ボイラ３３とを備えて構成される。
【００２６】
ガスタービンプラント３０は、タービン軸３１の軸端から順に空気圧縮機３５、ガスタービン燃焼器３６、ガスタービン３７を備え、空気圧縮機３５で吸い込んだ空気（大気）を圧縮して高圧空気にし、その高圧空気を燃料とともにガスタービン燃焼器３６に供給し、ここで燃焼ガスを生成し、その燃焼ガスをタービン３７で膨張仕事をさせ、その際に発生する回転トルクで例えば被駆動機としての発電機３４を駆動するようになっている。
【００２７】
また、排熱回収ボイラ３３は、ガスタービン３７から排出された排熱ＥＸＧの流れに沿って順に、高圧過熱器３８、再熱器３９、高圧ドラム４０を備えた高圧蒸発器４１、中圧過熱器４２、低圧過熱器４３、中圧ドラム４４を備えた中圧蒸発器４５、低圧ドラム４６を備えた低圧蒸発器４７等を収容し、各熱交換器で発生した蒸気を蒸気タービンプラント３２に供給するようになっている。
【００２８】
また、蒸気タービンプラント３２は、タービン軸３１に串形配置した高圧タービン４８、中圧タービン４９、低圧タービン５０、復水器５１を備え、排熱回収ボイラ３３の高圧過熱器３８から主蒸気系５２を介して高圧タービン４８に供給された蒸気に膨張仕事をさせ、膨張仕事を終えた高圧タービン排気を低温再熱系５３を介して再熱器３９に供給し、ここで再び再熱させ、再熱蒸気として再熱系５４を介して中圧タービン４９に供給し、さらに、中圧タービン４９で膨張仕事を終えた中圧タービン排気に排熱回収ボイラ３３の低圧過熱器４３から低圧蒸気系５５を介して供給された低圧蒸気を合流させ、その合流蒸気を低圧タービン５０で膨張仕事をさせ、膨張仕事を終えた低圧タービン排気を復水器５１で凝縮させ、復水・給水として排熱回収ボイラ３３の節炭器（図示せず）に還流させるようになっている。
【００２９】
一方、ガスタービンプラント３０のガスタービン３７は、ガスタービン翼部５６に、蒸気タービンプラント３２の高圧タービン４８からの高圧タービン排気と排熱回収ボイラ３３の中圧過熱器４２からの中圧蒸気とを合流させ、その合流蒸気を翼冷却用として供給する蒸気冷却供給系５７と、ガスタービン翼部５６を冷却させた蒸気のうち、一部を加減弁５８を介して中圧タービン４９の中間段落部ＩＳＴに回収させる一方、残りをタービンバイパス弁５９を備えたタービンバイパス系６０を介して復水器５１に回収させる蒸気冷却回収系６１とを備えて構成される。
【００３０】
また、蒸気冷却供給系５７には、ガスタービン翼部５６に供給される冷却用の蒸気流量を検出する流量計６２を備えるとともに、流量計６２により検出された冷却用の蒸気流量信号に基づいて弁開閉信号を演算し、その演算信号を低温再熱系５３に設けた流量調整弁６３に与える制御演算部６４が設けられる。
【００３１】
このような構成を備えたコンバインドサイクル発電プラントにおいて、高圧タービン４８で膨張仕事を終えた高圧タービン排気は、その一部を排熱回収ボイラ３３の中圧過熱器４２からの中圧蒸気と合流させ、冷却用蒸気として蒸気冷却供給系５７を介してガスタービン翼部５６に供給され、残りを低温再熱系５３、流量調整弁６３を介して排熱回収ボイラ３３の再熱器３９に供給される。
【００３２】
その際、蒸気冷却供給系５７は、高圧タービン４８からガスタービン翼部５６に供給される冷却用としての高圧タービン排気の流量を流量計６２により検出させ、検出された流量信号が予め定められた設定信号を超えていると、その偏差に基づいて弁開閉信号を制御演算部６４に演算させ、その演算信号を流量調整弁６３に与えて、流量調整弁６３を開閉させ、高圧タービン４８から低温再熱系５３を介して再熱器３９に供給される高圧タービン排気を適正値に調整し、これに伴って再熱器３９から中圧タービン４９に供給される再熱蒸気を多くしてプラント熱効率を増加させる。
【００３３】
また、蒸気冷却回収系６１は、起動運転時、ガスタービン翼部５６を冷却させた蒸気をタービンバイパス弁５９、タービンバイパス系６０を介して復水器５１に回収させるとともに、負荷運転時、タービンバイパス弁５９を閉弁させ、加減弁５８を開弁させ、ガスタービン翼部５６を冷却させた蒸気を中圧タービン４９の中間段落部ＩＳＴに回収させる。
【００３４】
このように、本実施形態は、低温再熱系５３に設けた流量調整弁６３を開閉制御する制御演算部６４を備え、流量調整弁６３を開閉制御させ、高圧タービン４８からガスタービン翼部５６および再熱器３９のそれぞれに分配される高圧タービン排気を適正量に調整したので、中圧タービン４９に設計値とおりの再熱蒸気を供給することができ、プラント熱効率を向上させることができる。
【００３５】
また、本実施形態は、ガスタービン翼部５６を冷却させた蒸気を回収させる蒸気冷却回収系６１を分岐させ、その一部を中圧タービン４９の中間段落部ＩＳＴに接続させるともに、その残りを復水器５１に連通するタービンバイパス系６０に接続させ、ガスタービン翼部５６を冷却させた蒸気と再熱器３９からの再熱蒸気とを合流させないでそれぞれ別個に中圧タービン４９に供給したので、再熱器３９からの再熱蒸気の圧力・温度を高く維持させたまま中圧タービン４９に供給することができ、プラント熱効率を向上させることができる。
【００３６】
なお、本実施形態では、流量計６２を蒸気冷却供給系５７に設けたが、蒸気冷却回収系６１に設けても良く、また、中圧タービン４９と低圧タービン５０とを一つのケーシングに収容させた中低一体形タービンにしても良い。
【００３７】
図２は、本発明に係るコンバインドサイクル発電プラントの第２実施形態を示す概略系統図である。なお、第１実施形態の構成部分と同一部分には同一符号を付す。
【００３８】
本実施形態は、ガスタービン翼部５６に冷却用の蒸気を供給する蒸気冷却供給系５７を、高圧タービン４８の中間段落部ＨＰＥに接続させるとともに、ガスタービン翼部５６を冷却させた後の蒸気を回収させる蒸気冷却回収系６１を、排熱回収ボイラ３３の再熱器３９と中圧タービン４９とを互いに接続させる再熱系５４に接続させたものである。
【００３９】
また、本実施形態は、蒸気冷却供給系５７に流量計６２と流量調整弁６３を設け、高圧タービン４８の中間段落部ＨＰＥからガスタービン翼部５６に供給する冷却用としての高圧タービン抽気の流量を流量計６２で検出させ、その検出信号に基づいて流量調整弁６３に弁開閉信号を与える制御演算部６４を設ける一方、蒸気冷却回収系６１と再熱系５４との接続点Ｐと、加減弁５８との間にタービンバイパス弁５９を介装させて復水器５１に接続するタービンバイパス系６０を設けたものである。なお、高圧タービン４８は、高圧タービン排気を排熱回収ボイラ３３の中圧過熱器４２からの中圧蒸気に合流させ、低温再熱系５３を介して再熱器３９に供給する。
【００４０】
このように、本実施形態は、ガスタービン翼部５６に冷却用として高圧タービン４８からの高圧タービン抽気を供給する蒸気冷却供給系５７を、高圧タービン４８の中間段落部ＨＰＥに接続するとともに高圧タービン４８からガスタービン翼部５６に供給する高圧タービン抽気の流量を流量計６２で検出させ、検出した流量信号に基づいて弁開閉信号を演算し、その演算信号を流量調整弁６３に与える制御演算部６４を設け、高圧タービン４８からの高圧タービン抽気を適正量の冷却用蒸気としてガスタービン翼部５６に供給したので、ガスタービン翼部５６を効果的に冷却させることができ、ガスタービン翼部５６の効果的な冷却に伴ってガスタービン３７の燃焼ガス温度を高温化させてプラント熱効率を向上させることができる。
【００４１】
図３は、本発明に係るコンバインドサイクル発電プラントの第３実施形態を示す概略系統図である。なお、第１実施形態の構成部分と同一部分には同一符号を付す。
【００４２】
本実施形態は、ガスタービン翼部５６に冷却用の蒸気を供給する蒸気冷却供給系５７を、高圧タービン４８の中間段落部ＨＰＥに接続させるとともに、ガスタービン翼部５６を冷却させた後の蒸気を回収させる蒸気冷却回収系６１を、高圧タービン４８の高圧タービン排気を排熱回収ボイラ３３の再熱器３９に供給する低温再熱系５３に接続させたものである。
【００４３】
また、本実施形態は、第２実施形態と同様に、蒸気冷却供給系５７に流量計６２と流量調整弁６３を設け、高圧タービン４８の中間段落部ＨＰＥからガスタービン翼部５６に供給する冷却用としての高圧タービン抽気の流量を流量計６２で検出させ、その検出信号に基づいて流量調整弁６３に弁開閉信号を与える制御演算部６４を設ける一方、再熱系５４の加減弁５８の上流側から分岐させ、タービンバイパス弁５９を介装させて復水器５１に接続させるタービンバイパス系６０を設けたものである。
【００４４】
このように、本実施形態は、ガスタービン翼部５６に冷却用として高圧タービン４８からの高圧タービン抽気を供給する蒸気冷却供給系５７を、高圧タービン４８の中間段落部ＨＰＥに接続するとともに、高圧タービン４８からガスタービン翼部５６に供給する高圧タービン抽気の流量を流量計６２で検出させ、検出した流量信号に基づいて弁開閉信号を演算し、その演算信号を流量調整弁６３に与える制御演算部６４を設け、高圧タービン４８からの高圧タービン抽気を適正量の冷却用蒸気としてガスタービン翼部５６に供給する一方、ガスタービン翼部５６を冷却させた蒸気を蒸気冷却回収系６１を介して高圧タービン４８からの高圧タービン排気に合流させ、その合流蒸気を低温再熱系５３を介して再熱器３９に供給し、再熱器３９から発生する再熱蒸気をより多くして中圧タービン４９に供給し、中圧タービン４９の出力を増加させたので、プラント熱効率を向上させることができる。
【００４５】
図４は、本発明に係るコンバインドサイクル発電プラントの第４実施形態を示す概略系統図である。なお、第１実施形態の構成部分と同一部分には同一符号を付す。
【００４６】
本実施形態は、高圧タービン４８からの高圧タービン排気と排熱回収ボイラ３３の中圧過熱器４２からの中圧蒸気とを合流させ、その合流蒸気をガスタービン翼部５６に冷却用として供給する蒸気冷却供給系５７とガスタービン翼部５６を冷却させた蒸気を低温再熱系５３を介して再熱器３９に回収させる蒸気冷却回収系６１との間に流量調整弁６３を備えたガスタービン翼部冷却バイパス系６５を設けるとともに、低温過熱系５３に減温器６６を設けたものである。
【００４７】
また、本実施形態は、高圧タービン４８から蒸気冷却供給系５７を介してガスタービン翼部５６に供給する冷却用としての高圧タービン排気の流量を流量計６２で検出させ、その検出信号に基づいてガスタービン翼部冷却バイパス系６５の流量調整弁６３に弁開閉信号を与える制御演算部６４を設けたものである。
【００４８】
このように本実施形態は、高圧タービン４８から蒸気冷却供給系５７を介してガスタービン翼部５６に供給する高圧タービン排気と、高圧タービン４８からガスタービン翼部冷却バイパス系６５、蒸気冷却回収系６１、低温再熱系５３を介して再熱器３９に供給する高圧タービン排気とを流量調整弁６３で制御し、高圧タービン４８からの高圧タービン排気を適正値にしてガスタービン翼部５６および再熱器３９のそれぞれに分配させたので、再熱器３９から発生させる再熱蒸気の圧力・温度を設計値どおりに維持することができ、プラント熱効率を向上させることができる。
【００４９】
その際、再熱器３９は、その入口に減温器６６を備え、この減温器６６によりガスタービン翼部５６を冷却させた蒸気と高圧タービン４８からの高圧タービン排気との合流蒸気の圧力・温度が設計値よりも超えても適正値に調整するので、合流蒸気を適圧・適温にして再熱器３９に供給することができる。
【００５０】
【発明の効果】
以上の説明のとおり、本発明に係るコンバインドサイクル発電プラントは、高圧タービンからの蒸気を冷却用としてガスタービン翼部に供給する蒸気冷却供給系と、ガスタービン翼部を冷却した蒸気を中圧タービン、復水器および再熱器のうち、いずれか一方に回収させる蒸気冷却回収系とを備えるとともに高圧タービンからガスタービン翼部および再熱器のうち、少なくとも一方に蒸気を供給する流量調整弁を開閉制御する制御演算部を備え、ガスタービン翼部に供給する冷却用の蒸気流量を適正値に制御したので、無駄のない効率的な運転を行うことができ、プラント熱効率を従来よりも向上させることができる。
【図面の簡単な説明】
【図１】本発明に係るコンバインドサイクル発電プラントの第１実施形態を示す概略系統図。
【図２】本発明に係るコンバインドサイクル発電プラントの第２実施形態を示す概略系統図。
【図３】本発明に係るコンバインドサイクル発電プラントの第３実施形態を示す概略系統図。
【図４】本発明に係るコンバインドサイクル発電プラントの第４実施形態を示す概略系統図。
【図５】従来のコンバインドサイクル発電プラントを示す概略系統図。
【符号の説明】
１  ガスタービンプラント
２  排熱回収ボイラ
３  蒸気タービンプラント
４  発電機
５  空気圧縮機
６  ガスタービン燃焼器
７  ガスタービン
８  高圧過熱器
９  再熱器
１０  高圧ドラム
１１  高圧蒸発器
１２  中圧過熱器
１３  低圧過熱器
１４  中圧ドラム
１５  中圧蒸発器
１６  低圧ドラム
１７  低圧蒸発器
１８  高圧タービン
１９  中圧タービン
２０  低圧タービン
２１  復水器
２２  主蒸気系
２３  低温再熱系
２４  再熱系
２５  低圧蒸気系
２６  ガスタービン翼部
２７  蒸気冷却供給系
２８  蒸気冷却回収系
３０  ガスタービンプラント
３１  タービン軸
３２  蒸気タービンプラント
３３  排熱回収ボイラ
３４  発電機
３５  空気圧縮機
３６  ガスタービン燃焼器
３７  ガスタービン
３８  高圧過熱器
３９  再熱器
４０  高圧ドラム
４１  高圧蒸発器
４２  中圧過熱器
４３  低圧過熱器
４４  中圧ドラム
４５  中圧蒸発器
４６  低圧ドラム
４７  低圧蒸発器
４８  高圧タービン
４９  中圧タービン
５０  低圧タービン
５１  復水器
５２  主蒸気系
５３  低温再熱系
５４  再熱系
５５  低圧蒸気系
５６  ガスタービン翼部
５７  蒸気冷却供給系
５８  加減弁
５９  タービンバイパス弁
６０  タービンバイパス系
６１  蒸気冷却回収系
６２  流量計
６３  流量調整弁
６４  制御演算部
６５  ガスタービン翼部冷却バイパス系
６６  減温器
【図１】
0003926048.tif 000002
【図２】
0003926048.tif 000003
【図３】
0003926048.tif 000004
【図４】
0003926048.tif 000005
【図５】
0003926048.tif 000006